(57)【特許請求の範囲】
【請求項１】
一対の音響再生部と、
前記音響再生部のそれぞれを連結する支持部材と、
前記支持部材に対して回転自在とされ、装着時において頭部に対向する側に配置される軟質部材と、
前記支持部材と前記軟質部材との間において、前記支持部材に沿って配置され、前記軟質部材と同等の幅を有するように構成されている硬質部材と、
前記支持部材と前記軟質部材と前記硬質部材と被覆する外装材と
を備えるヘッドホン。
【請求項２】
低摩擦材をさらに備え、
前記低摩擦材が、前記支持部材と前記軟質部材との間に配置される
請求項１に記載のヘッドホン。
【請求項３】
前記支持部材に対する前記軟質部材の回転角度が、あらかじめ定められた一定の範囲内の角度とされる
請求項１または２に記載のヘッドホン。
【発明の詳細な説明】
【技術分野】
【０００１】
本開示は、ヘッドホンに関する。本開示は、特に、装着時の不快感が低減されるとともに、装着時の安定性が向上されたヘッドホンに関する。
【背景技術】
【０００２】
デジタル電子機器およびインターネット技術の進歩に伴い、デジタル電子機器のユーザは、光ディスクなどに収録され、またはインターネットを介して配信される音楽コンテンツや映像コンテンツなどの様々なコンテンツを手軽に楽しむことができるようになった。例えば、携帯が可能な電子機器のユーザは、様々なコンテンツを屋外でも楽しむことが可能である。【０００３】
デジタル電子機器などによるコンテンツの利便性の向上とともに、よりよい音質でコンテンツを楽しみたいというユーザの要求も高まっている。【０００４】
屋外におけるコンテンツの視聴には、一般的に、ヘッドホンが使用される。また、屋内におけるコンテンツの視聴においても、よりよい音質を求めるためにヘッドホンが使用されることもある。そのため、ヘッドホンに対する音質向上の要求も非常に高い。【０００５】
ヘッドホンから再生される音楽コンテンツの音質の向上のためにヘッドホンの電気音響変換部が大型化され、左右の耳に対応して設けられるヘッドホンユニットの重量が増加してしまうことがある。【０００６】
ヘッドホンユニットの組は、一般的に、ヘッドホンユニットの組をつなぐヘッドバンドに配置されたパッドがユーザの頭部に接することにより支持される。しかしながら、ヘッドホンユニットの組の支持が十分でないために、ヘッドホンの装着時に、ヘッドホンがユーザに不快感を与えてしまうことがあった。【０００７】
ヘッドホンの装着時の安定性を向上させるために、例えば、下記の特許文献１には、ヘッドバンドを２本として、これらの間に、頭部に接するヘッドクッションを配置することが開示されている。
【先行技術文献】
【特許文献】
【０００８】
【特許文献１】特開２００５−３１１６３０号公報
【発明の概要】
【発明が解決しようとする課題】
【０００９】
ヘッドホンの装着時の安定性の向上が望まれている。
【課題を解決するための手段】
【００１０】
本開示の好ましい実施態様は、ヘッドホンが、一対の音響再生部と、前記音響再生部のそれぞれを連結する支持部材と、前記支持部材に対して回転自在とされ、装着時において頭部に対向する側に配置される軟質部材と、前記支持部材と前記軟質部材との間において、前記支持部材に沿って配置され、前記軟質部材と同等の幅を有するように構成されている硬質部材と、前記支持部材と前記軟質部材と前記硬質部材と被覆する外装材とを備える。
【００１１】
本開示では、一対の音響再生部を連結する支持部材に対して、装着時において頭部に対向する側に配置される軟質部材が回転自在とされる。そのため、ヘッドホンのユーザにおける、頭頂部の前後方向の傾きに軟質部材の配置が追従することとなり、ユーザの頭部に対して局所的に圧力がかかることがなく、ヘッドホンの装着時の不快感が低減される。また、ヘッドホンの重量がユーザの頭頂部に均等に分散され、ヘッドホンの装着時の安定性が向上する。
【発明の効果】
【００１２】
少なくとも１つの実施例によれば、ヘッドホンの装着時の安定性を向上させることができる。
【図面の簡単な説明】
【００１３】
図１Ａは、本開示の実施形態にかかるヘッドホンを示す斜視図である。図１Ｂは、ユーザが本開示の実施形態にかかるヘッドホンを装着した状態を示す概略図である。
図２Ａは、本開示の実施形態にかかるヘッドホンのヘッドバンドを示す斜視図である。図２Ｂは、左右のヘッドホンユニットを結ぶ方向に対して垂直な面にそってパッド部を切断した場合の断面の一例を示す模式図である。
図３Ａは、左右のヘッドホンユニットを結ぶ方向および鉛直方向を含む面にそってヘッドバンドを切断した場合の断面の一例を示す模式図である。図３Ｂは、図３Ａにおいて破線により囲まれたＥ部を拡大して示す図である。
図４Ａおよび図４Ｂは、端部カバーの断面を示す模式図である。
図５Ａおよび図５Ｂは、本開示のヘッドホンのパッド部の第１の変形例を示す断面図である。
図６Ａは、本開示のヘッドホンのパッド部の第１の変形例を示す分解斜視図である。図６Ｂは、本開示のヘッドホンのパッド部の第２の変形例を示す断面図である。
【発明を実施するための形態】
【００１４】
以下、ヘッドホンの実施形態について説明する。説明は、以下の順序で行う。
＜１．一実施形態＞
［１−１．ヘッドホンの概略的構成］
（１−１−１．ヘッドホンユニット）
（１−１−２．ヘッドバンド）
［１−２．第１の変形例］
（１−２−１．支持板）
［１−３．第２の変形例］
（１−３−１．低摩擦材）
＜２．変形例＞
【００１５】
なお、以下に説明する実施形態は、ヘッドホンの好適な具体例である。以下の説明においては、技術的に好ましい種々の限定が付されているが、特に本開示を限定する旨の記載がない限り、ヘッドホンの例は、以下に示す実施形態に限定されないものとする。
【００１６】
＜１．一実施形態＞
［１−１．ヘッドホンの概略的構成］
図１Ａは、本開示の実施形態にかかるヘッドホンを示す斜視図である。図１Ｂは、ユーザが本開示の実施形態にかかるヘッドホンを装着した状態を示す概略図である。
【００１７】
図１Ａに示すように、ヘッドホン１は、例えば、ヘッドバンド３と、ヘッドホンユニット５Ｌおよび５Ｒと、ハンガ７Ｌおよび７Ｒとを備えている。
【００１８】
図１Ｂに示すように、ヘッドホンユニット５Ｌおよび５Ｒは、ヘッドホン１の装着時においてユーザの左右の耳の位置に対応するように、左右に配置される。ヘッドホンユニット５Ｌおよびヘッドホンユニット５Ｒは、例えば、それぞれハンガ７Ｌおよびハンガ７Ｒを介して、ヘッドバンド３により連結される。
【００１９】
ヘッドバンド３は、ユーザの頭部の形状にあわせて、全体として、鉛直上方に向けて凸とされた弧状に形成されている。ヘッドバンド３の略中央には、パッド１１が配置されている。
【００２０】
後述するように、パッド１１は、クッション材を含む。ユーザの頭部にクッション材を含むパッド１１が接することにより、ヘッドホン１の重量が、クッション材を介してユーザの頭部に伝えられる。
【００２１】
また、パッド１１は、後述するように、ヘッドバンド３の内部に配置される芯材に対して回転が自在とされる。そのため、ヘッドホン１の装着時において、パッド１１は、図１Ｂに示すように、ユーザの頭頂部の傾きに追従して回転する。すなわち、例えば、パッド１１は、図１Ｂに示す矢印Ｇの方向に沿って回転が自在とされている。
【００２２】
以下、ヘッドホンユニット５Ｌおよび５Ｒならびにヘッドバンド３について順に説明する。なお、ヘッドホン１は、左右にほぼ対称の構成を備えている。例えば、ユーザの左側のヘッドホンユニット５Ｌおよびユーザの右側のヘッドホンユニット５Ｒは、ほぼ同様の構成を備えている。そのため、ユーザの左右に対称に配置される部材などについては、特に必要のない限り、ユーザの左側に関してのみ説明することとする。
【００２３】
（１−１−１．ヘッドホンユニット）
ヘッドホンユニット５Ｌは、概略的には、電気音響変換のためのスピーカーユニット１７Ｌと、スピーカーユニット１７Ｌを格納するハウジング１９Ｌと、イヤパッド１５Ｌとを備える。
【００２４】
電気音響変換のための音声信号は、例えば、音響再生装置に接続されたコード９と、２つのヘッドホンユニット５Ｌおよび５Ｒのうちの一方に設けられたコネクタ部とを介して、音響再生装置から送られる。図１Ａおよび図１Ｂでは、ヘッドホンユニット５Ｌに設けられたコネクタ部に、コード９が接続される構成例を示している。
【００２５】
２つのヘッドホンユニットのうちの一方に送られた音声信号は、例えば、ヘッドバンド３の内部に配置された伝送線により、もう一方のヘッドホンユニットに送られる。左右のヘッドホンユニット間またはヘッドホンユニット−音響再生装置間における音声信号の伝送は、有線の方式に限られず、音声信号の伝送が無線の方式によりなされてももちろんかまわない。
【００２６】
音声信号を受けとったスピーカーユニットのそれぞれは、音声信号に応じた電気音響変換を行う。それぞれのスピーカーユニットから再生された音がユーザの耳に届くことにより、それぞれのスピーカーユニットから再生された音がユーザに知覚される。
【００２７】
ヘッドホンユニット５Ｌとユーザの耳の周辺とが接する部分には、クッション性のあるイヤパッド１５Ｌが環状に配置されている。
【００２８】
イヤパッド１５Ｌは、ヘッドホンユニット５Ｌが接することによる、ユーザの耳の周辺に対する圧迫感を和らげるために配置される。ヘッドバンド３が全体として弧状とされているため、ヘッドホンを装着したユーザに対しては、左右のヘッドホンユニットを介して側圧がかかるからである。また、密閉型のヘッドホンにおいては、イヤパッド１５Ｌは、ユーザの耳の周辺に密閉空間を形成する役割も果たす。
【００２９】
（１−１−２．ヘッドバンド）
ヘッドバンド３は、例えば、スライダ部１３Ｌおよび１３Ｒならびにパッド１１から構成される。
【００３０】
スライダ部１３Ｌは、例えば、複数の部材から構成されることにより、スライダ部１３Ｌの延長する方向に沿って伸び縮みが可能とされる。したがって、ユーザは、自身の頭部の形状や大きさにあわせて、左右のヘッドホンユニットの位置を調整することができる。
【００３１】
スライダ部１３Ｌとヘッドホンユニット５Ｌとの間には、例えば、ハンガ７Ｌが配置される。スライダ部１３Ｒとヘッドホンユニット５Ｒとの間には、例えば、ハンガ７Ｒが配置される。
【００３２】
ハンガ７Ｌは、例えば、弧状に形成され、該弧状の中央部とスライダ部１３Ｌとが連結されるとともに、該弧状の両端がヘッドホンユニット５Ｌに連結されることにより、ヘッドホンユニット５Ｌが、ヘッドバンド３に支持される。
【００３３】
ハンガ７Ｌは、例えば、スライダ部１３Ｌの延長する方向を回転軸の方向として、回転自在な態様でスライダ部１３Ｌと連結される。また、ヘッドホンユニット５Ｌは、例えば、弧状とされたハンガ７Ｌの両端を結ぶ軸を回転軸の方向として、回転自在な態様でハンガ７Ｌと連結される。したがって、ヘッドホンユニット５Ｌは、ユーザの顔の側面に追従するようにしてヘッドバンド３に支持される。
【００３４】
図２Ａは、本開示の実施形態にかかるヘッドホンのヘッドバンドを示す斜視図である。以下の説明においては、ヘッドホンの装着時において、ユーザの左側から右側に向かう方向をＸ方向とする。また、ユーザの正面方向をＹ方向とし、ユーザの上方に向かう方向をＺ方向とする。このとき、図２Ａに示すように、ＹＺ平面に平行かつパッド１１の中心を通る面をΣ１とし、ＺＸ平面に平行かつヘッドバンド３の中心を通る面をΣ２とする。すなわち、Σ１は、左右のヘッドホンユニットを結ぶ方向に対して垂直な面であり、Σ２は、左右のヘッドホンユニットを結ぶ方向および鉛直方向を含む面である。
【００３５】
パッド１１は、図２Ａに示すように、例えば、パッド部２１ならびに端部カバー２７Ｌおよび２７Ｒから構成される。パッド１１は、ヘッドホン１の装着時においてユーザの頭部の上方に位置し、パッド１１の中央に配置されたパッド部２１が、ユーザの頭部と接する。
【００３６】
パッド部２１は、後述するように、例えば、下側クッション材３１、芯材３３、上側クッション材３５および外装材３７を含む。
【００３７】
図２Ｂは、左右のヘッドホンユニットを結ぶ方向に対して垂直な面（図２Ａに示すΣ１）にそってパッド部を切断した場合の断面の一例を示す模式図である。図３Ａは、左右のヘッドホンユニットを結ぶ方向および鉛直方向を含む面（図２Ａに示すΣ２）にそってヘッドバンドを切断した場合の断面の一例を示す模式図である。図３Ｂは、図３Ａにおいて破線により囲まれたＥ部を拡大して示す図である。なお、図３Ａおよび図３Ｂにおいては、外装材３７の図示を省略した。
【００３８】
図２Ｂに示すように、パッド部２１の内部は、例えば、下側クッション材３１、芯材３３および上側クッション材３５が積層された積層構造とされ、下側クッション材３１、芯材３３および上側クッション材３５からなる積層体が、外装材３７により被覆される。
【００３９】
外装材３７の両端は、例えば、端部カバー２７Ｌおよび２７Ｒにより固定される。したがって、下側クッション材３１、芯材３３および上側クッション材３５からなる積層体と、外装材３７と、端部カバー２７Ｌおよび２７Ｒとにより、ヘッドバンド３のパッド１１が一体的に構成される。
【００４０】
本開示では、芯材３３と下側クッション材３１との接触面は固定されていない。すなわち、例えば、パッド１１は、パッド１１の両端に配置された端部カバー２７Ｌおよび２７Ｒにより、芯材３３に対する回転の自由度を残して芯材３３に固定される。したがって、下側クッション材３１は、芯材３３に対して回転自在とされている。
【００４１】
下側クッション材３１は、ヘッドホン１の装着時において、ユーザの頭部と対向する側に配置されるクッション材である。図３Ａに示すように、下側クッション材３１は、ユーザの頭頂部の形状にあわせて、所定の幅をもって全体として弧状に形成されている。下側クッション材３１は、ユーザの頭頂部の傾きに追従するように、後述する芯材３３に対して回転自在な態様で、例えば、外装材３７により保持されている。
【００４２】
下側クッション材３１を構成する材料としては、適度な緩衝性を備える材料が好ましく、例えば、ウレタン樹脂（ポリウレタン）、ゴム、シリコーン、フェルトなどが挙げられる。下側クッション材３１が、スポンジ様の多孔性構造を備えていてもよい。
【００４３】
芯材３３は、ヘッドバンド３に適度な強度を与えて、ヘッドバンド３の弧状の形状を維持するとともに、左右に支持されたヘッドホンユニット５Ｌおよび５Ｒの重量を支持する支持部材である。
【００４４】
図２Ｂおよび図３Ａに示すように、芯材３３は、下側クッション材３１と上側クッション材３５との間に配置されている。また、芯材３３は、全体として弧状に形成されており、芯材３３の両端は、ハンガ７Ｌおよび７Ｒの位置までのびている。なお、左右のヘッドホンユニットを結ぶ伝送線２８は、図２Ｂに示すように、例えば、芯材３３にそって下側クッション材３１と上側クッション材３５との間に配置される。
【００４５】
芯材３３は、ばね性を有した板体を逆Ｕ字状に形成されている。このように芯材３３にバネ性を要するのは、頭部に装着する際に芯材３３の両側に取付けられるヘッドホンユニットに側圧を付与し、これらヘッドホンユニットで頭部を押圧支持するためである。芯材３３を構成する材料としては、例えば、ステンレス鋼（ＳＵＳ）や鉄などの金属、炭素繊維強化プラスチックなどの炭素複合材料、ポリオキシメチレン（ｐｏｌｙｏｘｙｍｅｔｈｙｌｅｎｅ（ＰＯＭ））（ポリアセタール樹脂とも呼ばれる。）、ポリプロピレン（ｐｏｌｙｐｒｏｐｙｌｅｎｅ（ＰＰ））、ポリブチレンテレフタレート（ｐｏｌｙｂｕｔｙｌｅｎｅ  ｔｅｒｅｐｈｔｈａｌａｔｅ（ＰＢＴ））などの結晶性樹脂などが挙げられる。
【００４６】
なお、芯材３３を軸としてパッド１１を回転自在とする観点から、図２Ｂに示すように、左右のヘッドホンユニットを結ぶ方向に対して垂直な面にそって切断した場合における、芯材３３の断面形状の縦横比が、１に近いことが好ましい。または、左右のヘッドホンユニットを結ぶ方向に対して垂直な面にそって切断した場合における、芯材３３の断面形状が、円に近いことが好ましい。
【００４７】
上側クッション材３５は、芯材３３に対して下側クッション材３１と反対側に配置される、芯材３３の保護部材である。上側クッション材３５は、下側クッション材３１と同様に、ユーザの頭頂部の形状にあわせて、所定の幅をもって全体として弧状に形成されている。
【００４８】
上側クッション材３５を構成する材料としては、特に限定されず、例えば、ウレタン樹脂やその他の樹脂材料、金属などが挙げられる。
【００４９】
図２Ｂに示すように、パッド部２１は、例えば、下側クッション材３１、芯材３３および上側クッション材３５からなる積層体が外装材３７に被覆されることにより構成される。このとき、下側クッション材３１と上側クッション材３５との間が、芯材３３および伝送線２８以外の部材の配置されない空間であってもよい。または、下側クッション材３１と上側クッション材３５との間が、例えば、ウレタン樹脂などにより充填されていてももちろんかまわない。
【００５０】
外装材３７は、例えば、ポリエステル繊維などからなる布生地や、皮革、合成皮革などが筒状に形成された被覆材である。外装材３７は、適度な張力を備えるように構成されることにより、下側クッション材３１および上側クッション材３５に対して、互いに近づく方向に向かう力を与える。下側クッション材３１および上側クッション材３５に対して、互いに近づく方向に向かう力が与えられることにより、下側クッション材３１、芯材３３および上側クッション材３５からなる積層体の形状が保持される。
【００５１】
外装材３７の筒状の両端は、例えば、端部カバー２７Ｌおよび２７Ｒにより固定される。端部カバー２７Ｌおよび２７Ｒは、例えば、それぞれ上側カバー体および下側カバー体から構成され、外装材３７の筒状の一端は、上側カバー体および下側カバー体に上下から挟みこまれるようにして固定される。
【００５２】
図４Ａおよび図４Ｂは、端部カバーの断面を示す模式図である。図４Ａおよび図４Ｂは、芯材３３の延長する方向に垂直な面と平行に端部カバー２７Ｌを切断した場合の断面を模式的に示している。図４Ａおよび図４Ｂは、図３Ｂに示すＶＩＩ−ＶＩＩ断面図に対応する図である。
【００５３】
図４Ａおよび図４Ｂに示す構成例では、端部カバー２７Ｌが、例えば樹脂材料からなる上側カバー体２７Ｌｕおよび下側カバー体２７Ｌｄにより構成されている。上側カバー体２７Ｌｕと下側カバー体と２７Ｌｄは、例えば、ビスＳｃ１およびＳｃ２により接合されている。もちろん、上側カバー体２７Ｌｕと下側カバー体と２７Ｌｄとが、接着剤や溶着などにより接合されていてもよい。
【００５４】
図４Ａに示すように、芯材３３は、端部カバー２７Ｌの断面の略中央に形成された空間Ｃを貫通するように配置されている。なお、芯材３３と端部カバー２７Ｌとは固定されず、端部カバー２７Ｌは、芯材３３に対して自在に回転する。
【００５５】
ここで、芯材３３に対する端部カバー２７Ｌの回転可能な角度範囲が、あらかじめ定められた一定の範囲内とされていることが好ましい。言い換えれば、芯材３３に対する下側クッション材３１（パッド１１といってもよい。）の回転可能な角度の範囲が、あらかじめ定められた一定の範囲内とされていることが好ましい。芯材３３に対するパッド１１の回転可能な角度の範囲を規制しないと、パッド部２１に無理な力がかかることによりパッド部２１が変形し、パッド部２１が破損するおそれがあるからである。
【００５６】
例えば、図４Ａに示す構成例では、端部カバー２７Ｌの断面の略中央に、上側カバー体２７Ｌｕの一部および下側カバー体２７Ｌｄの一部により、例えば、断面が四角形状とされた空間Ｃが形成されている。また、芯材３３は、該空間Ｃ内を貫通するように配置されるとともに、芯材３３には、例えば、パッド部２１の幅方向（Ｙ方向）およびパッド部２１の延長する方向に垂直な方向にのびるピン２９Ｌが設けられている。このとき、芯材３３における、端部カバー２７Ｒに対応する位置にも同様にピンが設けられる。なお、個々のピンは、芯材３３に対して貫通されていてもよいし、芯材３３と個々のピンとが一体的に形成されていてもよい。
【００５７】
上側カバー体２７Ｌｕの一部および下側カバー体２７Ｌｄの一部により空間Ｃを形成し、芯材３３にピン２９Ｌを配置しておくことにより、ピン２９Ｌがストッパーとして機能し、芯材３３に対する端部カバー２７Ｌの回転角度が一定の範囲内に抑えられる。例えば、図４Ｂに示す例では、芯材３３に対する端部カバー２７Ｌの回転角度が、図４Ｂに示す角度δの２倍の範囲内に抑えられることとなる。すなわち、芯材３３に対するパッド１１の回転角度が一定の範囲内に規制され、芯材３３がパッド部２１の外装材３７などを突き破るといった不具合が防止される。
【００５８】
図３Ｂならびに図４Ａおよび図４Ｂでは、芯材３３にピン２９Ｌが配置される構成例を示したが、端部カバー２７Ｌの内部に形成される空間Ｃに凸部が設けられることにより、芯材３３に対するパッド１１の回転角度が一定の範囲内に規制されてもよい。なお、芯材３３が貫通する空間Ｃに凸部が設けられる場合には、凸部の設けられる箇所は、パッド１１の両端部分（端部カバー２７Ｌおよび２７Ｒの配置される部分）に限られない。例えば、パッド部２１の中央に、芯材３３に対するパッド１１の回転角度を規制するための凸部を設けておくなど、凸部を設ける位置は、パッド１１の延長する方向に対して任意に設定することができる。
【００５９】
［１−２．第１の変形例］
図５Ａおよび図５Ｂは、本開示のヘッドホンのパッド部の第１の変形例を示す断面図である。図６Ａは、本開示のヘッドホンのパッド部の第１の変形例を示す分解斜視図である。図５Ａは、左右のヘッドホンユニットを結ぶ方向に対して垂直な面（図２Ａに示すΣ１）にそってパッド部を切断した場合の断面の一例を示す模式図である。図５Ｂは、左右のヘッドホンユニットを結ぶ方向および鉛直方向を含む面（図２Ａに示すΣ２）にそってヘッドバンドを切断した場合の断面の一例を示す模式図である。なお、図５Ｂにおいては、外装材３７の図示を省略した。
【００６０】
図５Ａに示すパッド部２３は、下側クッション材３１、芯材３３、上側クッション材３５および外装材３７を含む点で、上述した実施形態のパッド部２１と共通する。図５Ａおよび図５Ｂに示すパッド部２３は、下側クッション材３１と芯材３３との間に、弧状に形成された支持板４１をさらに含む点で、上述した実施形態のパッド部２１と相違する。なお、図５Ａおよび図５Ｂでは、パッド部２３が、芯材３３と上側クッション材３５との間に、弧状に形成された支持板４３をさらに含む例を示した。
【００６１】
図５Ａおよび図５Ｂならびに図６Ａに示すように、パッド部２３の内部は、例えば、下側クッション材３１、支持板４１、芯材３３、支持板４３および上側クッション材３５が積層された積層構造とされる。下側クッション材３１、支持板４１、芯材３３、支持板４３および上側クッション材３５からなる積層体が、外装材３７により被覆され、外装材３７の両端が、例えば、端部カバー２７Ｌおよび２７Ｒにより固定される。なお、端部カバー２７Ｒは、端部カバー２７Ｌと同様に、例えば樹脂材料からなる上側カバー体２７Ｒｕおよび下側カバー体２７Ｒｄにより構成されている。上側カバー体２７Ｒｕと下側カバー体と２７Ｒｄは、例えば、ビスＳｃ３およびＳｃ４により接合される。
【００６２】
（１−２−１．支持板）
支持板４１は、下側クッション材３１とほぼ同等の幅をもって形成され、芯材３３にそってパッド部２３の内部に配置されている。支持板４１は、例えば、端部カバー２７Ｌおよび２７Ｒの内部にまで延長されている。
【００６３】
支持板４１は、下側クッション材３１と比較して硬質の材料により構成されており、支持板４１を構成する材料としては、例えば、樹脂材料や金属、セラミクス、植物材料などが挙げられる。樹脂材料としては、例えば、ポリエチレンテレフタレート（ｐｏｌｙｅｔｈｙｌｅｎｅ  ｔｅｒｅｐｈｔｈａｌａｔｅ（ＰＥＴ））、ポリブチレンテレフタレート（ｐｏｌｙｂｕｔｙｌｅｎｅ  ｔｅｒｅｐｈｔｈａｌａｔｅ（ＰＢＴ））、ポリカーボネート（ｐｏｌｙｃａｒｂｏｎａｔｅ（ＰＣ））、ポリアミド（ｐｏｌｙａｍｉｄｅ（ＰＡ））、ポリアセタール（ｐｏｌｙａｃｅｔａｌ（ＰＯＭ））、ポリフェニレンサルファイド（ｐｏｌｙｐｈｅｎｙｌｅｎｅ  ｓｕｌｆｉｄｅ（ＰＰＳ））、ポリエチレン（ｐｏｌｙｅｔｈｙｌｅｎｅ（ＰＥ））、ポリプロピレン（ｐｏｌｙｐｒｏｐｙｌｅｎｅ（ＰＰ））、ポリスチレン（ｐｏｌｙｓｔｙｒｅｎｅ（ＰＳ））、ＡＢＳ（ａｃｒｙｌｏｎｉｔｒｉｌｅ−ｂｕｔａｄｉｅｎｅ−ｓｔｙｒｅｎｅ）樹脂、メタクリル樹脂（アクリル系樹脂）、ポリ塩化ビニル（ｐｏｌｙｖｉｎｙｌ  ｃｈｌｏｒｉｄｅ（ＰＶＣ））、フェノール樹脂、メラミン樹脂、エポキシ樹脂、ポリイミド（ｐｏｌｙｉｍｉｄｅ）などが挙げられる。支持板４１が、炭素繊維強化プラスチックやガラス繊維強化プラスチックなどの複合材料から構成されていてもよい。
【００６４】
支持板４１は、下側クッション材３１の形状を保持する機能を有する。また、芯材３３と下側クッション材３１との間に、下側クッション材３１と比較して硬質の支持板４１が配置されることにより、芯材３３からの荷重が下側クッション材３１に均一に伝えられることとなり、ヘッドホンの装着時の安定性が向上する。
【００６５】
図５Ａおよび図５Ｂならびに図６Ａに示すように、芯材３３に対して、ユーザの頭部との接触面とは反対側に支持板４３が配置されていてもよい。すなわち、芯材３３と上側クッション材３５との間に支持板がさらに配置されていてもよい。この場合、パッド部は、上側クッション材３５を含んでいなくともよい。
【００６６】
パッドが剛性の高い部材および軟質材料の組み合わせにより構成されるとともに、ユーザの頭部との接触面側に軟質材料が配置されることにより、ヘッドホンの重量をユーザの頭頂部に均等に分散させることができる。したがって、ユーザの頭部の一部に大きな力がかかることがないため、ヘッドホンの装着時の不快感が低減される。
【００６７】
さらに、軟質材料がユーザの頭部との接触面側に配置されているため、パッドとユーザの頭部との接触部分がユーザの頭部の傾き以外の形状にも追従し、ヘッドホンの装着時に、ヘッドホンがユーザに不快感を与えてしまうこともない。
【００６８】
［１−３．第２の変形例］
図６Ｂは、本開示のヘッドホンのパッド部の第２の変形例を示す断面図である。図６Ｂは、左右のヘッドホンユニットを結ぶ方向に対して垂直な面（図２Ａに示すΣ１）にそってパッド部を切断した場合の断面の一例を示す模式図である。
【００６９】
図６Ｂに示すパッド部２５は、下側クッション材３１、芯材３３、上側クッション材３５および外装材３７を含む点で、上述した実施形態のパッド部２１と共通する。また、図６Ｂに示すパッド部２５は、パッド部２５の内部が、例えば、下側クッション材３１、支持板４１、芯材３３、支持板４３および上側クッション材３５が積層された積層構造とされる点で、上述した第１の変形例と共通する。図６Ｂに示すパッド部２５は、下側クッション材３１と芯材３３との間に低摩擦材５１がさらに配置される点で、上述したパッド部２１およびパッド部２３と相違する。
【００７０】
図６Ｂに示すように、パッド部２５の内部は、例えば、下側クッション材３１、支持板４１、低摩擦材５１、芯材３３、支持板４３および上側クッション材３５が積層された積層構造とされる。下側クッション材３１、支持板４１、低摩擦材５１、芯材３３、支持板４３および上側クッション材３５からなる積層体が、外装材３７により被覆される。外装材３７の両端が、例えば、端部カバー２７Ｌおよび２７Ｒにより固定される。
【００７１】
（１−３−１．低摩擦材）
低摩擦材５１は、少なくとも芯材３３と下側クッション材３１とが接する部分の幅をもって形成され、例えば、芯材３３にそって下側クッション材３１の表面もしくは支持板４１の表面に貼りつけられている。または、低摩擦材５１は、芯材３３の外側を被覆している。
【００７２】
低摩擦材５１は、芯材３３と下側クッション材３１との間に介在され、芯材３３と下側クッション材３１との間の摩擦力を低減させることにより、芯材３３に対する下側クッション材３１の回転を容易とする。したがって、低摩擦材５１としては、芯材３３と下側クッション材３１とが直接的に接触する場合と比較して、芯材３３と下側クッション材３１との間のころがり摩擦係数が小さくなるような部材が選択される。
【００７３】
低摩擦材５１としては、例えば、布を挙げることができ、フェルト、ベルベット、サテン地の生地、オーガンジー地の生地、ジョーゼット（ｇｅｏｒｇｅｔｔｅ）織の生地が好適である。または、表面にフッ素樹脂の層が形成された支持板が低摩擦材５１とされてもよい。なお、下側クッション材３１や支持板４１の表面に凹凸形状を形成しておくことにより、芯材３３と下側クッション材３１との間の接触面積を低減させることで、芯材３３と下側クッション材３１との間の摩擦力を低減させるようにしてもよい。
【００７４】
芯材３３と下側クッション材３１との接触面に低摩擦材５１が配置されることにより、芯材３３に対する下側クッション材３１の回転がよりスムースとなり、頭部に対する下側クッション材３１の追従がより容易となる。
【００７５】
以上に説明したように、本開示では、芯材３３と下側クッション材３１との接触面が固定されず、芯材３３に対してパッド１１が回転自在とされる。すなわち、本開示では、芯材に対してクッション材が常に垂直に接触する従来のヘッドホンの構成と異なり、下側クッション材３１が常に芯材３３に接触しながら芯材３３を軸として下側クッション材３１が回転する。そのため、本開示によれば、芯材３３にかかる荷重を下側クッション材３１に均等に伝えることができる。
【００７６】
さらに、本開示では、図１Ｂに示したように、ヘッドホン１の装着時においては、パッド１１がユーザの頭頂部の傾きに追従して、傾き方向に回転することとなる。そのため、パッド１１とユーザの頭部との接触面を大とでき、パッド部の全面がより均等にユーザの頭頂部に接触し、ヘッドホン１の重量が頭頂部に均等に伝わる。したがって、本開示によれば、ヘッドホン１の重量をユーザの頭頂部で均等に支えることができる。
【００７７】
例えば、いわゆるフリーアジャスト構造の場合では、パッドが芯材と独立して設けられ、ゴムやばねの力によりパッドが支持されるため、ヘッドホンの重量を均等にパッドに伝えることができず、ユーザの頭部の一部に大きな力がかかってしまう。一方、本開示では、ユーザの両耳および頭部の位置が固定とされた状態でパッドが可動するので、ユーザの頭部の一部に大きな力がかかることがなく、ヘッドホンの装着時の安定性が向上し、ヘッドホンのより快適な装着感が実現される。
【００７８】
＜２．変形例＞
以上、好適な実施形態について説明してきたが、好適な具体例は、上述した説明に限定されるものではなく、各種の変形が可能である。
【００７９】
例えば、上述した実施形態の説明においては、パッド部が、下側クッション材、芯材および上側クッション材からなる積層体により構成される例を示したが、下側クッション材と上側クッション材とが一体的に形成され、芯材がこれらを貫通するように配置されていてもよい。すなわち、例えば、パッドの断面において中央部分に孔部を設けておき、該孔部の内側に芯材を通すようにしてもよい。
【００８０】
この場合、芯材の断面形状およびパッド部に設けられた孔部の断面形状により、芯材に対するパッドの回転可能な角度の範囲を規制することが可能である。または、芯材の断面形状および端部カバーに設けられた孔部の断面形状により、芯材に対するパッドの回転可能な角度の範囲を規制することが可能である。
【００８１】
本開示は、例えば、ノイズキャンセリングヘッドホンや、スタジオでのモニター用ヘッドホン、ビデオゲーム用のヘッドセット、射撃用または工事現場での騒音対策用イヤーマフなどにも適用が可能である。なお、本開示の技術は、オープン型、密閉型のいずれのヘッドホンに対しても適用が可能である。
【００８２】
なお、上述の実施形態において挙げた構成、方法、形状、材料および数値などはあくまでも例に過ぎず、必要に応じてこれと異なる構成、方法、形状、材料および数値などを用いてもよい。上述の実施形態の構成、方法、形状、材料および数値などは、本開示の主旨を逸脱しない限り、互いに組み合わせることが可能である。
【００８３】
例えば、本開示は以下のような構成もとることができる。
（１）
一対の音響再生部と、
前記音響再生部のそれぞれを連結する支持部材と、
前記支持部材に対して回転自在とされ、装着時において頭部に対向する側に配置される軟質部材と
を備えるヘッドホン。
（２）
硬質部材をさらに備え、
前記硬質部材が、前記支持部材に沿って配置される（１）に記載のヘッドホン。
（３）
前記硬質部材が、前記支持部材と前記軟質部材との間に配置される（２）に記載のヘッドホン。
（４）
低摩擦材をさらに備え、
前記低摩擦材が、前記支持部材と前記軟質部材との間に配置される（１）または（２）に記載のヘッドホン。
（５）
前記支持部材に対する前記軟質部材の回転角度が、あらかじめ定められた一定の範囲内の角度とされる（１）ないし（４）のいずれか１項に記載のヘッドホン。
【符号の説明】
【００８４】
１                  ヘッドホン
３                  ヘッドバンド
５Ｌ，５Ｒ          ヘッドホンユニット
１１                パッド
２１，２３，２５    パッド部
２７Ｌ，２７Ｒ      端部カバー
２９Ｌ              ピン
３１                下側クッション材
３３                芯材
４１，４３          支持板
５１                低摩擦材
【図１】
0005935811.tif 000002
【図２】
0005935811.tif 000003
【図３】
0005935811.tif 000004
【図４】
0005935811.tif 000005
【図５】
0005935811.tif 000006
【図６】
0005935811.tif 000007